(57)【要約】静脈ホルダーは中央の開口を形成する直立した壁を備えている。中央の開口の大きさは針が通しやすくなるよう十分大きい。底部のつば部は壁から外側に向かって広がっており、患者の肌に寄りかかるようにして支えられる。肌に対する静脈の相対的な動きを抑制するために、つば部１４の底部表面によって肌をきつく保持する。さらに、静脈ホルダーによって印加される圧力によって、注射器のための開口から離れた端で、静脈が閉塞される。
2010517678.tif 000002
【特許請求の範囲】
【請求項１】
静脈ホルダーであって、
天部表面、底部表面、第１の端部および第２の端部を備え、Ｃ字型の形状をした上方へに延在した壁であって、中央の開口を形成する前記上方に延在した壁と、
前記中央の開口へのアクセスを可能にする前記第１の端部と前記第２の端部との間に位置する空間と
を有することを特徴とする静脈ホルダー。
【請求項２】
前記上方に延在した壁が弓状であることを特徴とする請求項１記載の静脈ホルダー。
【請求項３】
前記上方に延在した壁の底部表面は外側に広がったフランジによって形成されていることを特徴とする請求項１記載の静脈ホルダー。
【請求項４】
前記上方に延在した壁の縁部は高さが徐々に減少していることを特徴とする請求項１記載の静脈ホルダー。
【請求項５】
静脈ホルダーであって、
上方に延在した壁と、
外側に広がった底部フランジと、
中央の開口を形成する壁であって、前記中央の開口へのアクセス開口を形成するために一方の端部から一定の間隔をあけられた他方の端部とによる端部ペアーを備えた壁と
を有することを特徴とする静脈ホルダー。
【発明の詳細な説明】
【技術分野】
【０００１】
本発明は、静脈ホルダーに関する。
【背景技術】
【０００２】
医療行為は、患者への薬の投与または血液サンプルの採集のために、針と注射器の利用をしばし必要とする。しばしば、これらの医療行為は、静脈または動脈へ直接に到達する針を必要とする。その医療行為の容易さは医療従事者の技能と経験、患者の静脈への到達のしやすさ、患者が医療行為の間に動く傾向があるかどうかに依存する。
【０００３】
針や注射器を正確に位置決めするためのさまざまな器具が医療従事者を支援するために開発されてきた。そのような器具の１つは米国特許出願公開第５，９１１，７０７号明細書（Ｗｏｌｖｅｋ氏他）において開示されている。具体的には、両端に開口を作るために伸びる指状のものを備えた胴体の針ガイドが開示されている。支持部３０、３２によって針の挿入が容易になる。さらに米国特許出願公開第４，３１４，５６８号明細書（Ｌｏｖｉｎｇ氏）は中央の穴１８を伴う平面の胴体を備えた血管安定器を開示している。
【先行技術文献】
【特許文献】
【０００４】
【特許文献１】米国特許出願公開第５，９１１，７０７号明細書
【特許文献２】米国特許出願公開第４，３１４，５６８号明細書
【発明の概要】
【発明が解決しようとする課題】
【０００５】
静脈への針の到達が難しい患者について、医療従事者は、静脈をより目立たせることで針の到達を容易にするために、止血帯の利用にしばし頼る。高齢の患者においては、止血帯によって引き起こされる高い背圧のために、静脈に破裂を引き起こす可能性がある。高齢患者についての他の問題は、静脈が動いてしまう傾向にあることであり、これは針の正確な位置決めをより難しくしている。
【０００６】
本発明の目的は、針による静脈への簡単な到達を可能にする静脈ホルダーを提供することである。
【０００７】
本発明のもう１つの目的は、肌に対する静脈の位置を安定に維持するために肌を伸ばす静脈ホルダーを提供することである。
【０００８】
本発明のもう１つの目的は、止血帯を利用しない静脈ホルダーを提供することである。本発明のさらにもう１つの目的は、片手によって適切に保持されることを可能にする静脈ホルダーを提供することである。
【０００９】
本発明の他の目的は、本発明の開示の全体を読むことで、当業者に明らかになるであろう。
【課題を解決するための手段】
【００１０】
静脈ホルダーは中央の開口を形成する直立した壁を備えている。中央の開口は針による簡単な到達を可能にするのに十分な大きさを有している。底部のつば部は壁から外側に向かって広がっており、患者の肌に寄りかかるようにして支えられる。対する静脈の相対的な動きを抑制するために、つば部１４の底部表面によって肌をきつく保持する。さらに、静脈ホルダーによって印加される圧力は、注射器のための開口から離れた端で、静脈を閉塞する。
【図面の簡単な説明】
【００１１】
【図１】静脈ホルダーの遠近法的外観である。
【図２】静脈ホルダーの平面図である。
【図３】図２の３−３に沿った断面図である。
【発明を実施するための形態】
【００１２】
図１は中央の開口を形成する直立したウォール（壁）１２を備えた静脈ホルダー１０を示している。垂直に直立した壁は中央の開口が形成される限りはどんな形状であってもよい。図１において、直立した壁は医療従事者に片手でのより快適な握りを可能にする弓状の形をしている。
【００１３】
ボトムフランジ（底部のつば部）１４は壁１２から外側に向かって広がっている。底部のつば部については以下でさらに詳細にわたって説明する。直立した壁のエンド（端）１６は高さが徐々に減少するように構成されている。これによって、壁１２のトップエンド（天部の端）は底部のつば部１４のサイドエッジ（側部の縁部）へと遷移するようになっている。
【００１４】
図２は静脈ホルダーの平面図である。この図では、静脈ホルダーのＣ字型の形がはっきりと描かれている。壁１２によって形成された中央の開口と端１６との間にある空間は医療従事者に静脈を探すための、そして、針と注射器とともに静脈にアクセス（到達）するための両方に十分な空間を提供する。
【００１５】
図３は図２の３−３の沿った部分の断面図である。この図では、つば部１４の底部表面が示されている。つば部の底部表面は、肌に接触し、中央の開口内に肌をきつく保持するとともに、血管を閉塞するためにアクセス部に圧力を印加するようになっている。理論的には、静脈は底部のつば部の一部によって閉塞され、このつば部の一部は、静脈にアクセスするための最適な視野と空間を医療従事者に与えることになる２つの端１６間にある空間の対向側に位置している。
【００１６】
静脈ホルダーは片手で保持可能であり、針や注射器を扱う医療従事者のもう一方の手を自由にする。静脈ホルダーは、肌に対する静脈の相対的な動きを抑制するために肌をきつくし維持するとともに、静脈に簡単に到達できるようにするために静脈を閉塞するよう圧力を印加する。
【００１７】
本発明について好ましい実施形態を参照しつつ説明してきたが、さまざまな修正による変形も当業者には明らかであるだろう。本発明はそのような変形や修正も包含することを意図されている。
【図１】
2010517678.tif 000003
【図２】
2010517678.tif 000004
【図３】
2010517678.tif 000005
【手続補正書】
【提出日】平成21年10月14日(2009.10.14)
【手続補正１】
【補正対象書類名】特許請求の範囲
【補正対象項目名】全文
【補正方法】変更
【補正の内容】
【特許請求の範囲】
【請求項１】
静脈ホルダーであって、
天部表面、底部表面、第１の端部および第２の端部を備え、該底部表面に対して実質的に垂直に上方に延在した壁であって、中央の開口を形成する前記上方に延在した壁と、
前記中央の開口へのアクセスを可能にする前記第１の端部と前記第２の端部との間に位置する空間と
を有し、
使用者が前記上方に延在した壁を支持するときに該使用者が誤って指に針を刺さないように該指を保護することを特徴とする静脈ホルダー。
【請求項２】
前記上方に延在した壁が弓状であることを特徴とする請求項１記載の静脈ホルダー。
【請求項３】
前記上方に延在した壁がＣ字型の形状をしていることを特徴とする請求項１記載の静脈ホルダー。
【請求項４】
前記上方に延在した壁の底部表面は外側に広がったフランジによって形成されていることを特徴とする請求項１記載の静脈ホルダー。
【請求項５】
前記上方に延在した壁の縁部は高さが徐々に減少していることを特徴とする請求項１記載の静脈ホルダー。
【国際調査報告】
2010517678.tif 000006